(57)【要約】    【課題】  キャビネットをキッチン、リビング、玄関等に設置する際に、壁面に堅固に固定可能なキャビネットを提供することを課題とする。    【解決手段】  左右の側板１１，１１と地板１２と天板１３とが組み立てられてなる枠体１４の後部に、壁面Ｗとの間に所定の隙間を設けて該枠体１４の後方開口を覆う背板１５を嵌め込む。そして、背板１５の壁面Ｗ側の面の左右両側に、上記隙間分の厚みを有する一対の補強部材１７，１７を、両面接着テープを介して接合する。これにより、ビス１８Ａ…１８Ａを背板１５の前方から該背板１５と補強部材１７，１７とを貫通させて壁面Ｗにねじ込んでウォールキャビネット２を壁面Ｗに固定するとき、これを堅固に固定することができる。【選択図】    図５
2006075485.tif 000002
【特許請求の範囲】
【請求項１】
上下に延びる左右の側板と、該左右の側板の上端部間及び下端部間に架設された天板及び地板と、これらが組み立てられてなる前後に開口する枠体の後部に、取付壁面との間に所定の隙間が生じるように該枠体の後方開口を覆う背板とを有し、該背板を介して壁面にビス止め固定されるキャビネットであって、上記背板の壁面側の面に、上記隙間分の厚みを有する補強部材が配設されており、かつ、該補強部材は、接着部材を介して背板に接合されていることを特徴とするキャビネット。
【請求項２】
接着部材は、両面接着テープであることを特徴とする請求項１に記載のキャビネット。
【請求項３】
補強部材は、背板の壁面側の面における縦方向もしくは横方向の二辺のほぼ全辺にわたって平行に配設されていることを特徴とする請求項１または請求項２に記載のキャビネット。
【請求項４】
補強部材は、背板の壁面側の面における周囲四辺のほぼ全辺にわたって配設されていることを特徴とする請求項１または請求項２に記載のキャビネット。
【発明の詳細な説明】
【技術分野】
【０００１】
本発明は、キッチン、リビング、玄関等に設置されるキャビネットに関し、家具の技術分野に属する。
【背景技術】
【０００２】
従来、キッチン、リビング、玄関等に設置されるキャビネットには、側板、地板、天板、背板等の部材で構成され、一般に厚みの薄い背板を介して壁面に固定されて用いられるものがある。このようなキャビネットとしては、例えば特許文献１〜３に記載のものがある。
【０００３】
まず、図１７及び図１８に示すように、特許文献１に開示されたキャビネット４０はノックダウン方式のもので、台輪４１を介してフロアＦに設置され、左右の側板４２，４２と地板４３と前後一対の天板４４，４４とで構成された前後に開口する枠体４５を有している。その場合、地板４３及び天板４４，４４は、各側板４２，４２の外方からねじ込まれた複数のビス４６Ａ…４６Ａで両側板４２，４２に連結されている。
【０００４】
そして、両側板４２，４２の後部に縦溝部（一方のみ示す）４２ａ，４２ａが、地板４３の後部に横溝部４３ａがそれぞれ設けられており、これらの溝部４２ａ，４２ａ，４３ａに枠体４５の後方開口を覆う厚みの薄い背板４７が嵌め込まれている。
【０００５】
さらに、背板４７の上部の背後には、該背板４７と壁面Ｗとの間の隙間を埋めると共にこのキャビネット４０の壁面Ｗへの固定部を補強する左右に長い補強部材４８が配設されており、該補強部材４８は、左右の側板４２，４２の外方からねじ込まれた２つのビス（１つのみ示す）４６Ｂ，４６Ｂで該側板４２，４２に連結されている。そして、別なる複数のビス（１つのみ示す）４６Ｃ…４６Ｃを背板４７の前方から該背板４７及び補強部材４８を貫通させて壁面Ｗにねじ込むことにより、当該キャビネット４０は壁面Ｗに固定されるようになっている。
【０００６】
次に、図１９に示すように、特許文献２に開示されたキャビネット５０も同じくノックダウン方式のもので、前後に開口する枠体５５を有し、前方開口を覆う図示しない扉と後方開口を覆う背板５７とが備えられている。背板５７は、左右の側板（一方のみ示す）５２，５２の後部に設けられた縦溝部（一方のみ示す）５２ａ，５２ａに嵌め込まれている。
【０００７】
そして、背板５７の壁面Ｗ側の面の周囲四辺に横断面が略Ｖ字状とされた溝部５８ａを有する細長い４つの補強部材（２つのみ示す）５８…５８が配設されており、該補強部材５８…５８は複数のビス（１つのみ示す）５６Ｂ…５６Ｂで上記Ｖ溝部５８ａ…５８ａの斜面を利用して斜め方向から側板５２，５２や図示しない地板及び天板に連結されている。そして、前述したキャビネット４０におけると同様に、別なる複数のビス（１つのみ示す）５６Ｃ…５６Ｃを背板５７の前方から該背板５７及び補強部材５８を貫通させて壁面Ｗにねじ込むことにより、当該キャビネット５０は壁面Ｗに固定されるようになっている。
【０００８】
次に、図２０に示すように、特許文献３に開示されたキャビネット６０は壁面Ｗに吊下げて設置されるもので、左右の側板６２，６２と地板６３と天板６４とで構成された前後に開口する枠体６５を有している。また、両側板６２，６２の後部に縦溝部（一方のみ示す）６２ａ，６２ａが、地板６３及び天板６４の後部に横溝部６３ａ，６４ａがそれぞれ設けられており、これらの溝部６２ａ，６２ａ，６３ａ，６４ａに枠体６５の後方開口を覆う厚みの薄い背板６７が嵌め込まれている。
【０００９】
そして、背板６７の下部及び上部の背後に左右に長い補強部材６８，６８がそれぞれ配設されており、該補強部材６８，６８は、それぞれ下方端部及び上方端部に突設された複数のダボ（２つのみ示す）６８ｂ…６８ｂを介して地板６３及び天板６４に連結されている。そして、複数のビス６６Ｃ…６６Ｃを背板６７の前方から該背板６７及び補強部材６８，６８を貫通させて壁面Ｗにねじ込むことにより、当該キャビネット６０は壁面Ｗに固定されるようになっている。
【００１０】
【特許文献１】特開２００３−２６５２４１号公報
【特許文献２】特開平８−１５４７４８号公報
【特許文献３】特開平１０−５０６２号公報
【発明の開示】
【発明が解決しようとする課題】
【００１１】
ところで、前述したようなキャビネット４０，５０，６０を壁面Ｗに固定する際に、枠体４５，５５，６５の内方において、ビス４６Ｃ，５６Ｃ，６６Ｃを背板４７，５７，６７の前方から該背板４７，５７，６７と補強部材４８，５８，６８とを貫通させて後方の壁面Ｗにねじ込もうとする場合、該ビス４６Ｃ，５６Ｃ，６６Ｃを極力目立たせないようにするため、背板４７，５７，６７の辺部近傍でビス止めする要望がある。しかしながら、いずれのキャビネット４０，５０，６０においても、背板４７，５７，６７の前方からは補強部材４８，５８，６８を枠体４５，５５，６５に連結するために使用されたビス４６Ｂ，５６Ｂやダボ６８ｂの配設位置がわからないため、キャビネット４０，５０，６０を壁面Ｗに固定するためにねじ込むビス４６Ｃ，５６Ｃ，６６Ｃに上記ビス４６Ｂ，５６Ｂやダボ６８ｂが干渉してねじ込み不完全となり、その結果、堅固な固定が阻害されるおそれがある。
【００１２】
また、一例として図１８に示すように、キャビネット４０を壁面Ｗに固定するためのビス４６Ｃを例えば図示しない電動ドライバを用いてねじ込む場合、該ビス４６Ｃの先端が背板４７を貫通して補強部材４８にねじ込まれようとするときに、該ビス４６Ｃの回転に伴って厚みの薄い背板４７が電動ドライバ側に太い鎖線で示すように引き寄せられる結果、引き続いて該ビス４６Ｃをねじ込んだとしても背板４７とその背後の補強部材４８との間に隙間が生じた状態でキャビネット４０が壁面Ｗに固定されることになり、この点でも堅固な固定が阻害されるおそれがある。
【００１３】
また、特に特許文献２に記載のキャビネット５０では、図１９に鎖線で示すように、このキャビネット５０を壁面Ｗに固定するためのビス５６Ｃが補強部材５８のＶ溝部５８ａつまり厚みの薄い箇所を貫通する可能性があり、その場合には固定力が確実に低下するようになる。
【００１４】
そこで、本発明は、以上の現状に鑑み、キャビネットをキッチン、リビング、玄関等に設置する際に、壁面に堅固に固定可能なキャビネットを提供することを課題とする。
【課題を解決するための手段】
【００１５】
上記課題を解決するため、本発明は次のように構成したことを特徴とする。
【００１６】
まず、請求項１に記載の発明は、上下に延びる左右の側板と、該左右の側板の上端部間及び下端部間に架設された天板及び地板と、これらが組み立てられてなる前後に開口する枠体の後部に、取付壁面との間に所定の隙間が生じるように該枠体の後方開口を覆う背板とを有し、該背板を介して壁面にビス止め固定されるキャビネットに関するもので、上記背板の壁面側の面に、上記隙間分の厚みを有する補強部材が配設されており、かつ、該補強部材は、接着部材を介して背板に接合されていることを特徴とする。
【００１７】
次に、請求項２に記載の発明は、上記請求項１に記載のキャビネットにおいて、接着部材は、両面接着テープであることを特徴とする。
【００１８】
また、請求項３に記載の発明は、請求項１または請求項２に記載のキャビネットにおいて、補強部材は、背板の壁面側の面における縦方向もしくは横方向の二辺のほぼ全辺にわたって平行に配設されていることを特徴とする。
【００１９】
そして、請求項４に記載の発明は、上記請求項１または請求項２に記載のキャビネットにおいて、補強部材は、背板の壁面側の面における周囲四辺のほぼ全辺にわたって配設されていることを特徴とする。
【発明の効果】
【００２０】
まず、請求項１に記載の発明によれば、補強部材を従来のようにビスやダボを使用して側板ないし枠体に連結するのではなく、補強部材を接着部材を介して背板に接合しているので、例えば施工現場において、ビスを背板の前方から該背板や補強部材を貫通させて壁面にねじ込んでキャビネットを壁面に固定するとき、該ビスのねじ込みを阻害する別なるビスやダボはなく、もって不完全なねじ込みが回避され、堅固に固定可能なキャビネットが実現される。
【００２１】
また、背板と補強部材とは接着部材を介して接合されているので、例えば電動ドライバを用いて背板側からビスをねじ込む場合、従来問題であったビスの回転に伴う背板の電動ドライバ側への引き寄せは抑制され、したがって背板と補強部材との間に隙間が生じた状態でキャビネットが壁面に固定されることにはならなく、この点でも堅固な固定が確保される。なお、電動ドライバでビスをねじ込む際に、進出するビスによって補強部材だけが壁面側に押し付けられて、結果的に背板と補強部材との間や枠体と壁面との間に不用意に隙間が生じ、その状態でキャビネットが壁面に固定されるおそれもない。
【００２２】
また、使用する補強部材は従来のようにＶ溝部を有したものでなくてもよいので、キャビネットを壁面に固定するためのビスが補強部材の厚みの薄い箇所を貫通する事態は生じなく、もって固定力が確実に維持される。
【００２３】
次に、請求項２に記載の発明によれば、接着部材として両面接着テープを用いるので、補強部材を背板に容易に接合することができると共に接合力が安定して得られる。
【００２４】
また、請求項３に記載の発明によれば、補強部材を背板の壁面側の面における縦方向もしくは横方向の二辺のほぼ全辺にわたって平行に配設するので、長さの長い補強部材を使用することになり、その結果、補強部材と背板との間の接合力が増強されると共に補強部材自体の強度が増し、もってキャビネットと共にその壁面への固定部が一層補強される。なお、この場合、「ほぼ全辺」とあるのは、「全辺」を含む。
【００２５】
そして、請求項４に記載の発明によれば、補強部材を背板の壁面側の面における周囲四辺のほぼ全辺にわたって配設するので、キャビネットと共にその壁面への固定部が一層補強される。さらに、壁面に固定用のビスをねじ込む際のねじ込み箇所の自由度が増すメリットがある。なお、この場合、「ほぼ全辺」とあるのは、「全辺」を含む。
【発明を実施するための最良の形態】
【００２６】
以下、本発明の実施の形態について説明する。
【００２７】
すなわち、図１に示すように、本発明に係るキャビネットはノックダウン方式の玄関収納システム１に適用されており、該システム１は、壁面Ｗに吊下げ支持された２つのウォールキャビネット２，２と、該ウォールキャビネット２，２の下方で台輪３に支持されたベースキャビネット４及びサイドキャビネット５とを有している。なお、台輪３は、その左側端部はフロアＦに、一方、右側端部は前後一対の木脚３ａ，３ａを介して土間Ｇにそれぞれ支持されている。
【００２８】
まず、ウォールキャビネット２について説明すると、図２〜図６に示すように、該キャビネット２は、左右の側板１１，１１と地板１２と天板１３とを組み立ててなる前後に開口する枠体１４を有している。その場合、地板１２及び天板１３は、その左右端部に突設された複数のダボ１２ａ…１２ａ，１３ａ…１３ａと、左右の側板１１，１１に穿設された同数のダボ孔１１ａ…１１ａとの嵌合を介して、上記側板１１，１１の下端部間及び上端部間にそれぞれ架設されている。
【００２９】
また、両側板１１，１１の後部に縦溝部１１ｂ，１１ｂが、地板１２及び天板１３の後部に横溝部１２ｂ，１３ｂがそれぞれ設けられており、これらの溝部１１ｂ，１１ｂ，１２ｂ，１３ｂに枠体１４の後方開口を覆う厚みの薄い背板１５が嵌め込まれている。そして、ウォールキャビネット２には、図示しないヒンジを介して枠体１４の前方開口を開閉する左右一対の扉１６，１６が備えられている。
【００３０】
また、背板１５の背後には、該背板１５と壁面Ｗとの間の隙間Ｓを埋めると共にこのウォールキャビネット２の壁面Ｗへの固定部を補強する細長い一対の補強部材１７，１７が配設されている。その場合、補強部材１７，１７は、枠体１４に嵌め込まれた背板１５における両側板１１，１１に隣接する位置、つまり縦方向の二辺のほぼ全辺にわたって配設されており、かつ、図２及び図６に示すように、補強部材１７，１７は、該補強部材１７，１７のほぼ全面に貼付された両面接着テープ１７ａ，１７ａを介して背板１５に接合されている。なお、この両面接着テープ１７ａ，１７ａには、各種の建築部材の固定用に使用されるものが好ましく適用可能である。
【００３１】
そして、４つのビス１８Ａ…１８Ａを背板１５の前方から該背板１５及び補強部材１７，１７を貫通させて壁面Ｗにねじ込むことにより、このウォールキャビネット２は壁面Ｗに固定されるようになっている。
【００３２】
このノックダウン方式のウォールキャビネット２を現場施工する際の組立手順例について説明する。
【００３３】
すなわち、図２及び図３に示したように、一方の側板１１と地板１２とをダボ孔１１ａ…１１ａとダボ１２ａ…１２ａとの嵌合を介して連結して、側方から背板１５を側板１１及び地板１２の溝部１１ｂ，１２ｂに嵌め込む。そして、背板１５の上部を天板１３の横溝部１３ｂに嵌め込みながら、該天板１３と上記側板１１とをダボ１３ａ…１３ａとダボ孔１１ａ…１１ａとの嵌合を介して連結したのち、背板１５の残る端部を他方の側板１１の縦溝部１１ｂに嵌め込みながら、該側板１１と上記天板１３とをダボ孔１１ａ…１１ａとダボ１３ａ…１３ａとの嵌合を介して連結して、背板１５が後部に嵌め込まれた枠体１４を組み立てる。
【００３４】
次いで、背板１５の壁面Ｗ側の面に、図２〜図４に示した配設位置で、一対の補強部材１７，１７を両面接着テープ１７ａ，１７ａを介して接合したのち、４つのビス１８Ａ…１８Ａを枠体１４の内方で背板１５の前方から該背板１５及び補強部材１７，１７を貫通させて壁面Ｗにねじ込むことにより、ウォールキャビネット２を壁面Ｗに固定する。そして、枠体１４の前面に扉１６，１６を取り付ける。なお、上述した組立手順は一例であって、順序は適宜変更される。
【００３５】
以上のように構成したことにより、まず、補強部材１７，１７を従来のようにビスやダボを使用して側板１１，１１ないし枠体１４に連結するのではなく、補強部材１７，１７を接着部材としての両面接着テープ１７ａ，１７ａを介して背板１５に接合しているので、例えば施工現場において、ビス１８Ａ…１８Ａを背板１５の前方から該背板１５や補強部材１７，１７を貫通させて壁面Ｗにねじ込んでウォールキャビネット２を壁面Ｗに固定するとき、該ビス１８Ａ…１８Ａのねじ込みを阻害する別なるビスやダボはなく、もって不完全なねじ込みが回避され、堅固に固定可能なウォールキャビネット２が実現される。
【００３６】
また、背板１５と補強部材１７，１７とは両面接着テープ１７ａ，１７ａを介して接合されているので、例えば電動ドライバを用いて背板１５側からビス１８Ａ…１８Ａをねじ込む場合、従来問題であったビス１８Ａ…１８Ａの回転に伴う背板１５の電動ドライバ側への引き寄せは抑制され、したがって背板１５と補強部材１７，１７との間に隙間が生じた状態でウォールキャビネット２が壁面Ｗに固定されることにはならなく、この点でも堅固な固定が確保される。なお、電動ドライバでビス１８Ａをねじ込む際に、進出するビス１８Ａによって補強部材１７だけが壁面Ｗ側に押し付けられて、結果的に背板１５と補強部材１７との間や枠体１４と壁面Ｗとの間に不用意に隙間が生じ、その状態でウォールキャビネット２が壁面Ｗに固定されるおそれもない。
【００３７】
また、使用する補強部材１７，１７は従来のようにＶ溝部を有したものでなくてもよいので、ウォールキャビネット２を壁面Ｗに固定するためのビス１８Ａ…１８Ａが従来のように補強部材の厚みの薄い箇所を貫通する事態は生じなく、もって固定力が確実に維持される。
【００３８】
そして、接着部材として両面接着テープ１７ａ，１７ａを用いるので、補強部材１７，１７を背板１５に容易に接合することができると共に接合力が安定して得られる。その場合、補強部材１７，１７のほぼ全面に両面接着テープ１７ａ，１７ａが貼付されているので、該補強部材１７，１７は背板１５に強固に接合されることになる。
【００３９】
さらに、補強部材１７，１７を背板１５の壁面Ｗ側の面における縦方向の二辺のほぼ全辺にわたって平行に配設するので、長さの長い補強部材１７，１７を使用することになり、その結果、補強部材１７，１７と背板１５との間の接合力が増強されると共に補強部材１７，１７自体の強度が増し、もってウォールキャビネット２と共にその壁面Ｗへの固定部が一層補強される。
【００４０】
なお、その他の特徴として、工場において背板と補強部材とを接合して一体化した上で施工現場に搬入する場合、輸送中に補強部材間に位置する背板部分の割れや補強部材から外方に突出する背板の角部の破損等が懸念されるのに対し、本実施の形態では、施工現場において背板１５と補強部材１７，１７とを両面接着テープ１７ａ，１７ａを用いて接合するので、上記懸念を確実に払拭することができる。
【００４１】
次に、背板１５における補強部材１７，１７の配設形態の変形例について説明する。
【００４２】
まず、図７に示すように、細長い一対の補強部材１７，１７を、背板１５において両側板１１，１１に隣接させる、つまり縦方向の二辺のほぼ全辺にわたって配設する代わりに、地板１２及び天板１３に隣接させる、つまり横方向の二辺のほぼ全辺にわたって配設してもよい。この場合にも、前述した図３に示す配設形態のものにおいて得られたと同様の作用効果が得られる。
【００４３】
また、図８に示すように、細長い４つの補強部材１７…１７を、背板１５における周囲四辺のほぼ全辺にわたって配設してもよい。すなわち、補強部材１７…１７を背板１５の壁面Ｗ側の面における周囲四辺に配設するので、補強部材１７…１７の配設領域が増すことになり、ウォールキャビネット２と共にその壁面Ｗへの固定部が一層補強される。さらに、壁面Ｗに固定用のビス１８Ａ…１８Ａをねじ込む際のねじ込み箇所の自由度が増すメリットがある。
【００４４】
そして、図９に示すように、短い４つの補強部材１７…１７を、背板１５の４つの角部近傍に配設してもよい。この場合には、補強部材１７…１７の使用量が削減されるので、補強部材１７…１７の機能を維持しつつ、軽量化と安価化とを図ることができる。
【００４５】
また、図１０及び図１１に示すように、両側板１１，１１と背板１５とを合成樹脂製のＬ字状とされた４つの連結具１９…１９で連結してもよい。この連結具１９は、Ｌ字を形成する一方の部分にダボ１９ａが突設されていると共に他方の部分にビス孔１９ｂが穿設されており、該ダボ１９ａと対応する側板１１に穿設されたダボ孔１１ｃとの嵌合、及び該ビス孔１９ｂを介して背板１５を貫通して該背板１５の背後の補強部材１７にねじ込まれたビス１８Ｂによって、側板１１と背板１５とを連結している。なお、図１０では、記載の複雑化を避けるため、扉１６，１６を省略している。
【００４６】
ところで、壁面Ｗに固定されたウォールキャビネット２の両側板１１，１１と地板１２と天板１３とを有して後部に背板１５が挟み込まれた枠体１４に矢印ａで示す過大な重みが作用した場合、天板１３はビス１８Ａ…１８Ａで壁面Ｗに堅固に固定された背板１５及び補強部材１７，１７によって下方への移動が規制される。一方、天板１３と両側板１１，１１とのダボ１３ａ…１３ａを介した嵌合部に過大な重みが負荷されることになるが、連結具１９…１９が備えられていないときには、ダボ１３ａ…１３ａが負荷に抗しきれずに傾斜する結果、側板１１，１１ひいては地板１２が矢印ｂ及び鎖線で示すように下方にずれ、背板１５の下端部が地板１２の横溝部１２ｂから浮き上がろうとするおそれがある。それに対して、背板１５と両側板１１，１１とを連結具１９…１９で一体に連結することにより、上記嵌合部への負荷を軽減し、もって前述した不具合を防止することができるようになる。
【００４７】
また、図１２に示すように、地板１２と背板１５とを２つの上記連結具１９，１９で連結してもよい。
【００４８】
こうすることにより、壁面Ｗに固定されたウォールキャビネット２の地板１２に矢印ｃで示す過大な重みが作用した場合、連結具１９，１９が備えられていないときには、ビス１８Ａ…１８Ａによって壁面Ｗに堅固に固定された背板１５及び補強部材１７，１７に対して、地板１２が矢印ｄ及び鎖線で示すように撓むことによって背板１５の下端部が地板１２の横溝部１２ｂから浮き上がろうとするおそれがあるのを、背板１５と地板１２とを連結具１９，１９で一体に連結することによって抑制することができる。
【００４９】
なお、背板１５と地板１２とを２つの連結具１９，１９で連結することに加えて、背板１５と天板１３とを２つの連結具１９，１９で連結してもよい。この場合には、ウォールキャビネット２が一層補強される。
【００５０】
次に、ベースキャビネット４について説明すると、図１３〜図１６に示すように、サイドキャビネット５に隣接する高さの低いベースキャビネット４は台輪３上に支持されており、左右の側板２１，２１と地板２２と天板２３とを組み立ててなる前後に開口する枠体２４を有している。その場合、地板２２は、その左右端部に突設された複数のダボ２２ａ…２２ａと、左右の側板２１，２１に穿設された同数のダボ孔２１ａ…２１ａとの嵌合を介して、上記側板２１，２１の下端部間に架設されている。なお、図示しないが、天板２３も、これと同様の構成によって両側板２１，２１の上端部間に架設されている。
【００５１】
また、両側板２１，２１の後部に縦溝部２１ｂ，２１ｂが、地板２２及び天板２３の後部に横溝部２２ｂ，２３ｂがそれぞれ設けられており、これらの溝部２１ｂ，２１ｂ，２２ｂ，２３ｂに枠体２４の後方開口を覆う厚みの薄い背板２５が嵌め込まれている。そして、ベースキャビネット４には、図示しないヒンジを介して枠体２４の前方開口を開閉する左右一対の扉２６，２６が備えられている。
【００５２】
また、背板２５の背後には、該背板２５と壁面Ｗとの間の隙間Ｓを埋めると共にこのベースキャビネット４の壁面Ｗへの固定部を補強する細長い一対の補強部材２７，２７が配設されている。その場合、補強部材２７，２７は、枠体２４に嵌め込まれた背板２５における両側板２１，２１に隣接する位置、つまり縦方向の二辺のほぼ全辺にわたって配設されており、かつ、図１６に示すように、補強部材２７，２７は、該補強部材２７，２７のほぼ全面に貼付された両面接着テープ２７ａ，２７ａを介して背板２５に接合されている。なお、この両面接着テープ２７ａ，２７ａには、前述したように、各種の建築部材の固定用に使用されるものが好ましく適用可能である。
【００５３】
また、４つのビス２８Ａ…２８Ａを背板２５の前方から該背板２５及び補強部材２７，２７を貫通させて壁面Ｗにねじ込むことにより、このベースキャビネット４は壁面Ｗに固定されるようになっている。
【００５４】
また、４つのビス２８Ｃ…２８Ｃを地板２２の上方から該地板２２を貫通させて台輪３にねじ込むことにより、このベースキャビネット４は台輪３に固定されるようになっている。
【００５５】
また、ベースキャビネット４は、枠体２４上部に取り付けられたカウンタ２９を有している。このカウンタ２９は、天板２３側からねじ込まれた４つのビス２８Ｄ…２８Ｄで該天板２３上に固定されている。
【００５６】
また、枠体２４内の背板２５の前方空間を上下方向に区画する４つの棚板３０…３０が、左右の側板２１，２１に取り付けられた受け部材３１…３１に係止されて設置されている。その場合、上記受け部材３１…３１を側板２１，２１に穿設された多数の孔部２１ｄ…２１ｄのうちの適宜のものに嵌入させることにより、上記棚板３０…３０の取付位置は変更可能とされている。
【００５７】
このノックダウン方式のベースキャビネット４を現場施工する際の組立手順例について説明する。
【００５８】
すなわち、図１３〜図１５に示したように、一方の側板２１と地板２２とをダボ孔２１ａ…２１ａとダボ２２ａ…２２ａとの嵌合を介して連結して、側方から背板２５を側板２１及び地板２２の溝部２１ｂ，２２ｂに嵌め込む。そして、背板２５の上部を天板２３の溝部２３ｂに嵌め込みながら、該天板２３と上記側板２１とを図示しないダボとダボ孔２１ａ…２１ａとの嵌合を介して連結したのち、背板２５の残る端部を他方の側板２１の縦溝部２１ｂに嵌め込みながら、該側板２１と上記天板２３とをダボ孔２１ａ…２１ａとダボとの嵌合を介して連結して、背板２５が後部に嵌め込まれた枠体２４を組み立てる。
【００５９】
次いで、背板２５の壁面Ｗ側の面に、図１６に示した配設位置で、一対の補強部材２７，２７を該補強部材２７，２７のほぼ全面に貼付された両面接着テープ２７ａ，２７ａを介して接合したのち、ビス２８Ｃ…２８Ｃを地板２２の上方から該地板２２を貫通させて台輪３にねじ込むことにより、枠体２４を台輪３に固定する。
【００６０】
そして、ビス２８Ｄ…２８Ｄを用いて枠体２４上にカウンタ２９を取り付けたのち、図１３〜図１５に示したように、４つのビス２８Ａ…２８Ａを枠体２４の内方で背板２５の前方から該背板２５及び補強部材２７，２７を貫通させて壁面Ｗにねじ込むことにより、ベースキャビネット４を壁面Ｗに固定する。さらに、扉２６，２６や棚板３０…３０等の取り付けを行なう。
【００６１】
以上のように構成したことにより、前述したウォールキャビネット２において得られた作用効果と同様の作用効果がベースキャビネット４においても得られるようになる。ところで、サイドキャビネット５は、寸法や扉の仕様の違いはあるものの、基本的な構成は上記ベースキャビネット４に類似しているため、説明を省略する。
【００６２】
なお、本発明は、具体化して説明した上記実施の形態に限定されることはなく、本発明の趣旨に沿うものであればよい。
【００６３】
例えば、ベースキャビネット４の扉２６，２６を省略すると共に内方の収納空間に引き出しを備えてもよい。
【００６４】
次に、両面接着テープ１７ａ，２７ａを使用して補強部材１７，２７を背板１５，２５に接合したが、その場合に、両面接着テープ１７ａ，２７ａを補強部材１７，２７のほぼ全面に貼付する代わりに部分的に貼付してもよい。なお、この場合、「ほぼ全面」とあるのは、「全面」を含む。また、補強部材１７，２７と背板１５，２５との接合に際し、周知の接着剤を塗布する方法を用いてもよい。
【００６５】
また、連結具１９には合成樹脂性のものを使用したが、材質、形状等を適宜選択してよい。
【００６６】
また、ベースキャビネット４やサイドキャビネット５についても、連結具１９を使用してよい。その場合には、該キャビネット４，５は一層補強される。
【００６７】
そして、図１１において、連結具１９を背板１５及び補強部材１７に固定するためのビス１８Ｂの長さを延長して、該ビス１８Ｂでウォールキャビネット２を壁面Ｗに固定するようにしてもよい。その場合には、部品点数の削減つまり前述した壁面Ｗに固定するためのビス１８Ａ…１８Ａの省略を図ることができる。
【産業上の利用可能性】
【００６８】
以上説明したように、本発明によれば、キャビネットをキッチン、リビング、玄関等に設置する際に、壁面に堅固に固定可能なキャビネットが提供される。すなわち、本発明は、キッチン、リビング、玄関等に設置されるキャビネットに関し、家具の技術分野に広く好適である。
【図面の簡単な説明】
【００６９】
【図１】本発明の実施の形態に係るキャビネットを適用した玄関収納システムの斜視図である。
【図２】ウォールキャビネットの扉を省略した分解斜視図である。
【図３】ウォールキャビネットの背面側から見た斜視図である。
【図４】同じく一部破断正面図である。
【図５】図４のＩＩ−ＩＩ線による拡大断面図である。
【図６】図５のＩＩＩ−ＩＩＩ線による拡大断面図である。
【図７】補強部材の別なる配設形態を示す図３に相当する斜視図である。
【図８】同じく補強部材のさらに別なる配設形態を示す斜視図である。
【図９】同じく補強部材のさらに別なる配設形態を示す斜視図である。
【図１０】側板と背板とを連結具で連結したウォールキャビネットの扉を省略した正面図である。
【図１１】図１０のＩＶ−ＩＶ線による拡大断面図である。
【図１２】地板と背板とを連結具で連結したウォールキャビネットの扉を省略した正面図である。
【図１３】ベースキャビネットの一部破断正面図である。
【図１４】図１３のＶＩ−ＶＩ線による拡大断面図である。
【図１５】図１３のＶＩＩ−ＶＩＩ線による拡大断面図である。
【図１６】ベースキャビネットの一部破断背面図である。
【図１７】従来のキャビネットを壁面に固定する状態を示す一部破断側面図である。
【図１８】図１７のＸ方向から見た一部破断拡大矢視図である。
【図１９】従来の別なるキャビネットを壁面に固定する状態を示す平断面図である。
【図２０】従来のさらに別なるキャビネットを壁面に固定する状態を示す一部破断側面図である。
【符号の説明】
【００７０】
２    ウォールキャビネット（キャビネット）
４    ベースキャビネット（キャビネット）
５    サイドキャビネット（キャビネット）
１１，２１        側板
１２，２２        地板
１３，２３        天板
１４，２４        枠体
１５，２５        背板
１７，２７        補強部材
１７ａ，２７ａ    両面接着テープ（接着部材）
Ｓ    隙間
Ｗ    壁面
【図１】
2006075485.tif 000003
【図２】
2006075485.tif 000004
【図３】
2006075485.tif 000005
【図４】
2006075485.tif 000006
【図５】
2006075485.tif 000007
【図６】
2006075485.tif 000008
【図７】
2006075485.tif 000009
【図８】
2006075485.tif 000010
【図９】
2006075485.tif 000011
【図１０】
2006075485.tif 000012
【図１１】
2006075485.tif 000013
【図１２】
2006075485.tif 000014
【図１３】
2006075485.tif 000015
【図１４】
2006075485.tif 000016
【図１５】
2006075485.tif 000017
【図１６】
2006075485.tif 000018
【図１７】
2006075485.tif 000019
【図１８】
2006075485.tif 000020
【図１９】
2006075485.tif 000021
【図２０】
2006075485.tif 000022